(57)【要約】【課題】従来の家畜飼料用タンクとは違う外観形状を有し、視覚的に木質ペレット専用であると認識し易く、製造時も成形し易く、木質ペレットの貯蔵、出し入れの際にタンク本体が膨らんだり、へこんだりすることも抑制可能で、コンパクト設計としたり、タンク内への木質ペレットの投入等の作業をし易くしたり、タンク製造、組立、運送、納入設置後の取扱などにも配慮し、トータルの手間やコストアップの抑制も可能な木質ペレット貯蔵タンクを提供する。【解決手段】上面１に蓋体２を取り付ける上部開口部を備えた略四角筒型のタンク本体４と、該タンク本体４の下端部に設けられると共に、タンク内の木質ペレットを取り出すための供給口５を取り付ける下部開口部６を備え、壁面がタンク本体４の下端部側から下部開口部６に向けて傾斜するホッパー部７とを備え、タンク本体４の四側面８が、それぞれ外方に向けて四角錐状に膨出した木質ペレット貯蔵タンクＡ。【選択図】図１
0003157953.tif 000002
【実用新案登録請求の範囲】
【請求項１】
木質ペレットを貯蔵する木質ペレット貯蔵タンクであって、上面に蓋体を取り付ける上部開口部を備えた略四角筒型のタンク本体と、該タンク本体の下端部に設けられると共に、タンク内の木質ペレットを取り出すための供給口を取り付ける下部開口部を備え、壁面が上記タンク本体の下端部側から下部開口部に向けて傾斜するホッパー部とを備え、上記タンク本体の四側面が、それぞれ外方に向けて四角錐状に膨出したことを特徴とする木質ペレット貯蔵タンク。
【請求項２】
上記タンク本体の側面の膨出高さが２０〜５０ｍｍである請求項１に記載の木質ペレット貯蔵タンク。
【請求項３】
タンク容量が１．１〜１．６ｍ３であり、且つ上記ホッパー部の少なくとも一の傾斜面が水平面に対して３０〜５０°の傾斜角度を有する請求項１又は２に記載の木質ペレット貯蔵タンク。
【請求項４】
上記タンク本体と上記ホッパー部とが、別々に成形されてなり、上記タンク本体が下端部周縁にタンク本体フランジ部を備えると共に、上記ホッパー部が上端部周縁にホッパー部フランジ部を備え、上記タンク本体フランジ部が上記ホッパー部フランジ部に載置、固定されて、上記タンク本体の下端部に上記ホッパー部が連結された請求項１、２又は３に記載の木質ペレット貯蔵タンク。
【請求項５】
四角形枠型の上面枠と脚部材を備えた架台の上記上面枠に、上記タンク本体フランジ部と上記ホッパー部フランジ部が載置、固定されて、上記架台に取り付けられた請求項４に記載の木質ペレット貯蔵タンク。
【考案の詳細な説明】
【技術分野】
【０００１】
本考案は、木質ペレットを貯蔵するための木質ペレット貯蔵タンクに関し、より詳細には、従来の家畜飼料タンクとは脱皮した外観形状とし、且つ製造時に成形し易く、木質ペレットの貯蔵、出し入れの際にタンク本体が膨らんだり、へこんだりすることを抑制することが可能であり、更に、一般宅地内での設置も考慮したコンパクト設計としたり、タンク内への木質ペレットの投入などの作業性を良くしたり、タンク製造、組立、運送、納入設置後の取り扱いなどにも配慮し、トータルの手間やコストアップを抑制することも可能な木質ペレット貯蔵タンクに関する。
【背景技術】
【０００２】
従来より、一般家庭、別荘やログハウス、小中学校、公共施設などのストーブとしては、化石燃料を利用したものが汎用されているが、最近では、ストーブや様々な分野の熱源に用いるためのボイラーの燃料として、従来の化石燃料の代わりに経済的で、且つ環境負荷の少ない木質ペレットが見直されてきている。木質ペレットは、近年、給湯ボイラー、暖房用ボイラー、ハウス暖房用ボイラーなどの比較的大型施設関係のボイラーなどの燃料として利用されてきており、その貯蔵タンクとしては、例えば、特許文献１等に記載されているようなタンク本体が円筒型の飼料タンクが利用されていた。
【０００３】
しかしながら、例えば、上述したような一般宅地内に木質ペレット貯蔵タンクを設置する場合、特許文献１に記載されているような家畜飼料用タンクとは違う外観形状を有し、視覚的に木質ペレット専用であると簡単に認識できるようなタンクの開発が要望されていた。また、製造時に成形し易く、且つ貯蔵タンクとしての強度を備えているのは、勿論、木質ペレットの出し入れによってタンクが膨らんだり、へこんだりすることも抑制可能であることが望ましい。更に、一般宅地内での設置も考慮したコンパクト設計としたり、タンク内への木質ペレットの投入などの作業をし易くしたり、タンク製造、組立、運送、納入設置後の取り扱いなどにも配慮し、トータルの手間やコストアップを抑制することも可能な木質ペレット貯蔵タンクの開発が望まれていた。
【先行技術文献】
【特許文献】
【０００４】
【特許文献１】特開平７−１１５８４０号公報
【考案の概要】
【考案が解決しようとする課題】
【０００５】
本考案は、上記事情に鑑みなされたもので、従来の家畜飼料用タンクとは違う外観形状を有し、視覚的に木質ペレット専用であると簡単に認識することが可能であり、且つ製造時に成形し易く、木質ペレットの貯蔵、出し入れの際にタンク本体が膨らんだり、へこんだりすることを抑制することが可能であり、更に、一般宅地内での設置も考慮したコンパクト設計としたり、タンク内への木質ペレットの投入などの作業をし易くしたり、タンク製造、組立、運送、納入設置後の取り扱いなどにも配慮し、トータルの手間やコストアップを抑制することも可能な木質ペレット貯蔵タンクを提供することを目的とする。
【課題を解決するための手段】
【０００６】
本考案は、上記目的を達成するため、木質ペレットを貯蔵する木質ペレット貯蔵タンクであって、上面に蓋体を取り付ける上部開口部を備えた略四角筒型のタンク本体と、該タンク本体の下端部に設けられると共に、タンク内の木質ペレットを取り出すための供給口を取り付ける下部開口部を備え、壁面がタンク本体の下端部側から下部開口部に向けて傾斜するホッパー部とを備え、タンク本体の四側面が、それぞれ外方に向けて四角錐状に膨出したことを特徴とする木質ペレット貯蔵タンクを提供する。
【０００７】
ここで、本考案の木質ペレット貯蔵タンクにおいて、タンク本体の側面の膨出高さが２０〜５０ｍｍであったり、タンク容量が１．１〜１．６ｍ３であり、且つホッパー部の少なくとも一の傾斜面が水平面に対して３０〜５０°の傾斜角度を有するものであると、より好適である。また、タンク本体とホッパー部とが、別々に成形された分離構造からなるものであり、タンク本体が下端部周縁にタンク本体フランジ部を備えると共に、ホッパー部が上端部周縁にホッパー部フランジ部を備え、タンク本体フランジ部がホッパー部フランジ部に載置、固定されて、タンク本体の下端部にホッパー部が連結されたものであると、更に好適である。そして更に、四角形枠型の上面枠と脚部材を備えた架台の上面枠に、タンク本体フランジ部とホッパー部フランジ部が載置、固定されて、架台に取り付けられたものであると、より好適である。
【０００８】
本考案の木質ペレット貯蔵タンクは、タンク本体が略四角筒型であるので、従来の飼料タンクを利用した木質ペレット貯蔵タンクと比べて、視覚的に飼料タンクとは別のものであると認識し易くなり、また、タンク本体の四側面（各側面）が外方に向けて四角錐状に膨出（突出）しているので、角型のタンク本体の製造時に側壁などが内側に入り込むことが防止されて、タンクの成形が容易となり、更に、木質ペレットの貯蔵、出し入れの際にタンク本体が膨らんだり、へこんだりすることを抑制することが可能となった。なお、本考案において、タンク本体の各側面の四角錐状に膨出させる態様としては、一の側面を形成する四辺から四角錐状に膨出（突出）した態様、即ち、一の側面の全面が四角錐状に膨出したものであっても良く、一の側面を形成する四辺の各辺の近傍から外方に向けて四角錐状に膨出（突出）した態様、即ち、四角錐状の膨出部の底辺がそれぞれ一の側面の各辺の近傍で側面の各辺に沿うように（並行するように）設けられたものであっても良い。また、本考案において、四角錐状とは、例えば、四角錐の上部の角がやや丸みを帯びていたり、四角錐をなす各辺が直線ではなく、やや湾曲したりした形状であっても、全体的に観て四角錐状と認識できる程度の略四角錐状の形状も含むものとする。
【０００９】
そして、本考案の木質ペレット貯蔵タンクにおいて、タンク本体の側面の膨出高さが２０〜５０ｍｍ、より好ましくは３０〜４０ｍｍであると、効率良くタンク本体が膨らんだり、へこんだりすることを抑制することができる。更に、タンク容量が１．１〜１．６ｍ３、より好ましくは１．２〜１．５ｍ３であり、且つホッパー部の少なくとも一の傾斜面が水平面に対して３０〜５０°、より好ましくは３５〜５０°の傾斜角度を有するものであると、例えば、一般宅地に設置する際に、好適な小型化タンクにおいて、木質ペレットがスムーズに流れるので、木質ペレット専用タンクとしてより有用となる。また、タンク全体の高さを例えば２５００〜３０００ｍｍ程度の比較的低い高さとしても必要容量を得ることができ、木質ペレットのタンクへの投入作業などの作業性を良くすることが可能となる。
【００１０】
また更に、タンク本体とホッパー部とが、別々に成形された分離構造からなるものであると、タンク本体の側面に上記のような膨出部を備えた形状の成形体を製造することが容易となり、更に、タンク本体が下端部周縁にタンク本体フランジ部を備えると共に、ホッパー部が上端部周縁にホッパー部フランジ部を備え、タンク本体フランジ部がホッパー部フランジ部に載置、固定されて、タンク本体の下端部にホッパー部が連結されたものとすると、分離構造からなるタンク本体とホッパー部との取り付け作業が容易となるのみならず、取り付け強度にも優れたタンクとすることができる。本考案の木質ペレット貯蔵タンクがこのような構成を備えたものである場合、上面枠と脚部材を備えた架台の上面枠に、タンク本体フランジ部とホッパー部フランジ部が載置、固定されて、架台に取り付けられたものであると、架台への取り付け作業が容易となるのみならず、架台との取り付け強度にも優れたタンクとすることができる。
【考案の効果】
【００１１】
本考案によれば、従来の家畜飼料用タンクとは違う外観形状を有し、視覚的に木質ペレット専用であると簡単に認識することが可能であり、且つタンク製造時に側壁などが内側にへこんだり、木質ペレットの貯蔵、出し入れの際にタンク本体が膨らんだり、へこんだりすることを抑制することが可能であり、更に、例えば、一般宅地内での設置も考慮したコンパクト設計としたり、タンク内への木質ペレットの投入などの作業をし易くしたり、タンク製造、組立、運送、納入設置後の取り扱いなどにも配慮し、トータルの手間やコストアップを抑制することも可能となる。
【図面の簡単な説明】
【００１２】
【図１】図１は、本考案の木質ペレット貯蔵タンクの一構成例を説明する概略斜視図である。
【図２】図２は、上記木質ペレット貯蔵タンクの概略正面図である。
【図３】図３は、上記木質ペレット貯蔵タンクの概略側面図である。
【図４】図４は、上記木質ペレット貯蔵タンクのタンク本体の概略平面図である。
【図５】図５は、上記木質ペレット貯蔵タンクの概略横断面図である。
【図６】図６は、上記木質ペレット貯蔵タンクの構成を説明する説明図である。
【考案を実施するための形態】
【００１３】
以下、本考案につき図面を参照にして更に詳しく説明する。図１〜図６は、本考案の木質ペレット貯蔵タンクの一構成例を説明するものであり、図１は、木質ペレット貯蔵タンクＡの概略斜視図、図２は、木質ペレット貯蔵タンクＡの概略正面図、図３は、木質ペレット貯蔵タンクＡの概略側面図、図４は、木質ペレット貯蔵タンクＡのタンク本体の概略平面図、図５は、木質ペレット貯蔵タンクＡのタンク本体の側面及びホッパー部の構成を説明するタンク本体の側面における高さ方向中央部の横断面を上方から見た概略横断面図、図６は、木質ペレット貯蔵タンクＡの構成を説明するために、タンク本体、ホッパー部、枠体を分離した状態で示した説明図である。
【００１４】
木質ペレット貯蔵タンクＡは、上面１に蓋体２を取り付ける円筒状の上部開口部３（図６参照）を備えた略四角筒型のタンク本体４と、タンク本体４の下端部に設けられると共に、タンク内の木質ペレット（図示せず）を取り出すための供給口５を取り付ける下部開口部６を備えたホッパー部７とを備え、タンク本体４の４つの各側面８は外方に向けて四角錐状に膨出している。また、木質ペレット貯蔵タンクＡには、タンク本体４の側面８の四角錐状の上下面、ホッパー部７に、それぞれ透視窓９が設けられている。そして、木質ペレット貯蔵タンクＡは、四角枠形状（四角形枠型）の上面枠１０ａ(図６参照)と、脚部材１０ｂと、脚補強材１０ｃとを備え、各脚部材１０ｂの下端部に設置用の脚ベース１０ｄを備えた架台１０上に載置されている。そして、タンク本体４の下側には引掛梯子１１が踊り場１２に引掛けられており、常時は、子供などがタンクに乗れないように、引掛梯子１１を外しておき、木質ペレットをタンクに投入する時のみ、引掛梯子１１を掛けてタンクに登れるようにしている。また、タンク本体４の上側には踊り場（作業台）１２が立て掛けられた状態で固設されている。なお、木質ペレットとは、木を細かく砕いて乾燥、圧縮成形した固形燃料であり、その形状、大きさは、通常、直径６〜１０ｍｍ程度、長さ１０〜２５ｍｍ程度の円筒形の形状をしたものである。
【００１５】
タンク本体４の上面１は、側面８の上端壁から上部開口部３を形成する円筒体の開設位置に向かって上方に傾斜する形状となっている。より詳細には、図４に示すように、円筒形状の上部開口部３（図６参照）の開設部分をそれぞれ頂点とし、上部開口部３（図６参照）を挟んで互いに対向する長底辺の略二等辺三角形状の一対の傾斜面１ａ、１ａと、同様に上部開口部３（図６参照）の開設部分をそれぞれ頂点とし、上部開口部３（図６参照）を挟んで互いに対向する短底辺の略二等辺三角形状の一対の傾斜面１ｂ、１ｂを備え、各傾斜面１ａと各傾斜面１ｂとの各間に、上面１のそれぞれ丸みを帯びた各角部１ｃをそれぞれ頂部とし、上部開口部３（図６参照）の開設部分をそれぞれ湾曲底辺とする略二等辺三角形状の傾斜面１ｄをそれぞれ有するように形成されている。木質ペレット貯蔵タンクＡは、タンクとして使用する際には、上部開口部３（図６参照）にハッチ（投入口）などの蓋体２を取り付け、ホッパー部７に備えられた下部開口部６には、ダンパーなどの供給口５が取り付けられる。蓋体２は、その種類、構成が特に制限されるものではないが、ロック形式のヒンジ部材２ａと、レバー２ｂを備えたヒンジ開閉ロック方式のハッチ構造とすると、片手でもハッチの開閉ができるので、高所での作業性を良くすることができる。
【００１６】
タンク本体４の全側面（四側面）８は、上述したように、外方に向けて四角錐状に膨出している。この構成例では、タンク本体４は、各角部が丸みを帯びた略四角筒型であるので、側面８は、その丸みの部分を含まない位置から四角錐状に膨出している。より具体的な構成例を図２を用いて例示して説明すると、例えば、タンク容量が約１．２ｍ３程度であり、丸みの部分も含んだ一の側面８の形状が、高さ（Ｌ１）が７７０ｍｍ程度、幅（Ｌ２）が１５００ｍｍ程度、各角部Ｒの曲率半径がＲ３０程度の略長方形であり、膨出部分の立ち上がり（四角錐の底辺）の各辺からの離間距離（Ｌ３）がそれぞれ５０ｍｍ程度、膨出高さ（Ｌ４）が３０ｍｍ程度の四角錐状に膨出した構成を挙げることができる。なお、この例の場合、図３に示した他の側面８については、幅（Ｌ５）が１０００ｍｍ程度である以外は、同様の略長方形の構成を挙げることができる。なお、本考案のタンクの構成は、このような形状、大きさなどに限定されるものではない。また、タンク本体４は、その下端部周縁にタンク本体フランジ部４ａを備えている。
【００１７】
ホッパー部７は、上述したように、タンク本体４の下端部に設けられ、円形の下部開口部６に向けて傾斜した略逆四角錐台筒状の形状を有している。より詳細には、図５に示すように、円形の下部開口部６の開設部分をそれぞれ頂点とし、下部開口部６を挟んで互いに対向する長底辺の略二等辺三角形状の一対の傾斜面７ａ、７ａと、同様に下部開口部６の開設部分をそれぞれ頂点とし、下部開口部６を挟んで互いに対向する短底辺の略二等辺三角形状の一対の傾斜面７ｂ、７ｂを備え、各傾斜面７ａと各傾斜面７ｂとの各間に、ホッパー部７の上側のそれぞれ丸みを帯びた各角部７ｃをそれぞれ頂部とし、下部開口部６の開設部分をそれぞれ湾曲底辺とする略二等辺三角形状の傾斜面７ｄをそれぞれ有する略逆四角錐台形状の中空筒体となるように形成されている。ここで、ホッパー部７の高さ、ホッパー部の傾斜面の水平面に対する傾斜角度を、上記のより具体的な構成例により、図２、図３を用いて例示して説明すると、例えば、木質ペレット貯蔵タンクのタンク容量が１．２ｍ３であれば、タンク本体４の側面８の高さ（Ｌ１）が上述したように７７０ｍｍ、ホッパー部７の高さ（Ｌ６）が５００ｍｍ程度、即ち、タンク本体４の側面８の高さ（Ｌ１）がホッパー部７の高さ（Ｌ６）の１．５倍程度、ホッパー部７の一対の傾斜面７ｂ、７ｂの水平面に対する傾斜角度α、αがそれぞれ３５°程度の構成を挙げることができる。一方、ホッパー部７の他の一対の傾斜面７ａ、７ａの水平面に対する傾斜角度β、βがそれぞれ５０°程度の構成を挙げることができる。なお、本考案において、ホッパー部の水平面に対する傾斜角度は、タンク容量に合わせて適宜選定すると、より好適である。そして、ホッパー部７に備えられた下部開口部６にダンパーなどの供給口５を取り付けるには、例えば、下部開口部６の下端部周縁にフランジ６ａ、供給口５の上端部周縁に図示しないフランジ部をそれぞれ設け、これらの所定位置に複数個の貫通孔（図示せず）を設けて、図示しないボルト・ナットなどを利用して取り付け、固定することができる。なお、供給口５としては、開閉用ハンドル５ａを備えたダンパーが好適である。また、ホッパー部７は、その上端部周縁にホッパー部フランジ部７ｅ（図６参照）を備えている。
【００１８】
図６に示すようにタンク本体４とホッパー部７とは、別々に成形された分離構成からなるものであり、タンク本体フランジ部４ａにホッパー部フランジ部７ｅを載置して固定することによって、タンク本体４の下端部にホッパー部７を連結したものである。ここで、タンク本体フランジ部４ａとホッパー部フランジ部７ｅとの固定方法は、特に制限されるものではないが、タンク本体フランジ部４ａ、ホッパー部フランジ部７ｅの所定位置に複数個の貫通孔（図示せず）を設けて、図示しないボルト・ナットなどを利用して取り付け、固定することができる。なお、タンク本体とホッパー部とは、その構成材料が特に制限されるものではないが、強度、重量（軽量化）などを考慮すると、それぞれ繊維強化樹脂（以下、ＦＲＰ）により分離成形されたものであると、より好適である。ＦＲＰの繊維としては、ガラス繊維、炭素繊維、アラミド繊維などが挙げられ、これらの中でも特にガラス繊維などが好適である。樹脂としては、熱硬化性樹脂、熱可塑性樹脂などが挙げられ、より具体的には、例えば不飽和ポリエステル樹脂、エポキシ樹脂、フェノール樹脂、ビニルエステル樹脂などの熱硬化性樹脂、例えばメチルメタアクリレートなどの熱可塑性樹脂などが挙げられ、これらの中でも、特に不飽和ポリエステル樹脂などが好適である。また、これらの成形方法は、特に限定されず、例えばハンドレイアップ成形法、真空バック成形法、ＲＴＭ成形法、金型プレス成形法などが挙げられるが、特にハンドレイアップ成形法が好適である。
【００１９】
木質ペレット貯蔵タンクＡは、上面枠１０ａと脚部材１０ｂを備えた架台１０の上面枠１０ａに、タンク本体フランジ部４ａとホッパー部フランジ部７ｅが載置、固定されて、架台１０を取り付けたものである。ここで、これらの固定方法は、特に制限されるものではないが、上述したようにタンク本体フランジ部４ａ、ホッパー部フランジ部７ｅの所定位置に複数個の貫通孔（図示せず）を設けると共に、上面枠１０ａにもこれらの貫通孔（図示せず）に合わせて貫通孔（図示せず）を設けておき、タンク本体フランジ部４ａ、ホッパー部フランジ部７ｅ、上面枠１０ａの位置を合わせて、図示しないボルト・ナットなどを利用して固定することができる。そして、架台１０を取り付けた木質ペレット貯蔵タンクＡは、図２、３に示すように、タンク設置場所の地面Ｇに埋め込んだコンクリート平板１３上に架台１０の脚部材１０ｂを各下端部に備えられた各脚ベース１０ｄを用いて、載置、固定して設置場所に設置されている。これらの固定方法は、特に制限されるものではないが、架台１０の各脚ベース１０ｄ、各コンクリート平板１３の所定位置に貫通孔（図示せず）を設けておき、架台１０とコンクリート平板１３との位置を合わせて、図示しないネジ部材、クギなどを利用して固定することができる。このように、タンク設置場所の地面Ｇに埋め込んだコンクリート平板１３上に架台１０の脚部材１０ｂを載置、固定すると、設置場所の状況によっては、従前の飼料タンクのような基礎工事をしなくても木質ペレット貯蔵タンクを設置することが可能となる。
【００２０】
木質ペレット貯蔵タンクＡは、蓋体２を開けて上部開口部３から木質ペレットをタンク内に投入し、木質ペレットを取り出す際には、供給口５を開状態にして、ホッパー部７を滑り落ちてくる木質ペレットを下部開口部６から取り出す。そして、タンク内部の木質ペレットの残存状態は透視窓９によって目視観察することができる。
【００２１】
木質ペレット貯蔵タンクＡによれば、従来の家畜飼料用タンクとは違う外観形状を有し、視覚的に木質ペレット専用であると簡単に認識できる。また、タンク製造時に側壁などが内側にへこんだり、木質ペレットの貯蔵、出し入れの際にタンク本体が膨らんだり、へこんだりすることが抑制される。更に、一般宅地内での設置も考慮したコンパクト設計であり、タンク内への木質ペレットの投入などの作業も容易であり、タンク製造、組立、運送、納入設置後の取り扱いなどのトータルの手間やコストアップも抑制される。
【００２２】
なお、本考案は、上記構成に限定されるものではなく、本考案の要旨を逸脱しない範囲で種々変更することができる。
【符号の説明】
【００２３】
Ａ  木質ペレット貯蔵タンク
Ｇ  地面
１  上面
２  蓋体
２ａ  ヒンジ部材
２ｂ  レバー
３  上部開口部
４  タンク本体
４ａ  タンク本体フランジ部
５  供給口
５ａ  ハンドル
６  下部開口部
７  ホッパー部
７ｅ  ホッパー部フランジ部
８  側面
９  透視窓
１０  架台
１０ａ  上面枠
１０ｂ  脚部材
１０ｃ  脚補強材
１１  引掛梯子
１２  踊り場（作業台）
１３  コンクリート平板
α  傾斜角度
β  傾斜角度
【図１】
0003157953.tif 000003
【図２】
0003157953.tif 000004
【図３】
0003157953.tif 000005
【図４】
0003157953.tif 000006
【図５】
0003157953.tif 000007
【図６】
0003157953.tif 000008